(57)【要約】【課題】ころ軸受の組み込み時に、ポケットに収納されるころを傷付けることなく、ころの落ち込み量を精度よく規制することができるころ軸受用保持器を提供することである。【解決手段】ころ軸受の組み込み時に、保持器１と一緒に外輪３に組み付けられるころ２の半径方向への落ちを止めるころ落ち止め部を、柱部１ｂに係止される別体のころ落ち止め部材６で形成することにより、ポケット５にころ２を収納した後で、ころ落ち止め部材６を柱部１ｂに係止して、ころ２を傷付けないようにするとともに、単純な形状とした保持器１本体と別体のころ落ち止め部材６を別々に精度よく加工可能として、ころ２の落ち込み量を精度よく規制できるようにした。【選択図】図１
2008151171.tif 000002
【特許請求の範囲】
【請求項１】
内外輪の軌道輪間に配列される複数のころを、これらのころの軸方向両側で環状に連なる２つの環状部と、これらの環状部を各ころ間で連結する複数の柱部とで形成されるポケットに収納し、前記柱部からポケットの半径方向内側または外側へ張り出し、前記ポケットに収納されるころの半径方向への落ちを止めるころ落ち止め部を設けたころ軸受用保持器において、前記ころ落ち止め部を、前記柱部に係止される別体のころ落ち止め部材で形成したことを特徴とするころ軸受用保持器。
【請求項２】
前記ころ落ち止め部材を柱部に係止する手段を、前記ころ落ち止め部材に、前記柱部側へ半径方向に突出するピン状部を設け、このピン状部を、前記柱部に設けた半径方向のピン孔に嵌め込んで抜け止めするか、前記柱部に設けた半径方向のねじ孔に螺着するものとした請求項１に記載のころ軸受用保持器。
【請求項３】
前記ピン状部を別体の前記ピン状部材とし、このピン状部材に前記ころ落ち止め部材の本体を係止するようにした請求項２に記載のころ軸受用保持器。
【請求項４】
前記ピン状部材にころ落ち止め部材の本体を係止する手段を、前記ピン状部材を、前記柱部に設けたピン孔またはねじ孔に、前記ころ落ち止め部材の本体と反対側から貫通するように挿入し、このピン孔またはねじ孔に本体と反対側から貫通させたピン状部材の先端部を、前記ころ落ち止め部材の本体に設けた半径方向のピン孔に嵌め込んで抜け止めするか、前記ころ落ち止め部材の本体に設けた半径方向のねじ孔に螺着するものとした請求項３に記載のころ軸受用保持器。
【発明の詳細な説明】
【技術分野】
【０００１】
本発明は、２つの環状部とこれらを連結する複数の柱部で、ころを収納するポケットを形成したころ軸受用保持器に関する。
【背景技術】
【０００２】
各種産業機械や車両等に組み込まれるころ軸受には、転動体と保持器を組み付けた内外輪のうちの一方の軌道輪をハウジングや軸部材に先に組み込み、他方の軌道輪を後から圧入等によって組み込むものがある。このようなころ軸受では、一方の軌道輪に保持器と一緒に組み付けたころが、２つの環状部と複数の柱部とで形成された保持器のポケットから、半径方向の内側または外側へ落ち、他方の軌道輪を後からスムーズに組み込めない問題がある。この他方の軌道輪を後からスムーズに組み込むためには、単にころの抜け落ちを防止するのみでなく、ころの落ち込み量も規制する必要がある。
【０００３】
このような問題に対して、保持器の柱部に、ポケットの半径方向内側または外側へ張り出すころ落ち止め部を設けたころ軸受用保持器が提案されている（例えば、特許文献１、２参照）。特許文献１に記載されたものでは、柱部と一体に切削加工で形成した爪を、曲げ加工によってポケット側へ張り出させて、ころ落ち止め部を形成している。また、特許文献２に記載されたものは、金属製のもみ抜き保持器の柱部に一体に形成されたポケット側へ張り出すころ落ち止め部に、ポケットへ収納するころの通過を許容する弾性変形を可能とするために、その根元部で軸方向に延びる切欠きを設けている。
【０００４】
【特許文献１】実開平５−１２７５３号公報
【特許文献２】特開平１０−１８４６９７号公報
【発明の開示】
【発明が解決しようとする課題】
【０００５】
特許文献１、２に記載されたように、ころ落ち止め部を柱部と一体に形成したころ軸受用保持器は、ころ軸受の組み込み時に、一方の軌道輪に組み付けられた状態でころをポケットに収納する際に、軌道輪と反対側の半径方向内側または外側でポケットの両側から張り出すころ落ち止め部を押し拡げて、ころを通過させる必要があるので、ころにころ落ち止め部との擦り傷が付き易い問題がある。特許文献１に記載されたものは、ころをポケットに収納した後で、ころ落ち止め部の爪を曲げ加工することも考えられるが、このような曲げ加工は加工精度が悪いので、ころの落ち込み量を精度よく規制することができない。
【０００６】
また、このようにころ落ち止め部を柱部と一体に形成したころ軸受用保持器は形状が複雑になるので、加工工数が増加するとともに、ころ落ち止め部の加工精度を出し難く、ころの落ち込み量を規制する精度が低下する問題もある。
【０００７】
そこで、本発明の課題は、ころ軸受の組み込み時に、ポケットに収納されるころを傷付けることなく、ころの落ち込み量を精度よく規制することができるころ軸受用保持器を提供することである。
【課題を解決するための手段】
【０００８】
上記の課題を解決するために、本発明は、内外輪の軌道輪間に配列される複数のころを、これらのころの軸方向両側で環状に連なる２つの環状部と、これらの環状部を各ころ間で連結する複数の柱部とで形成されるポケットに収納し、前記柱部からポケットの半径方向内側または外側へ張り出し、前記ポケットに収納されるころの半径方向への落ちを止めるころ落ち止め部を設けたころ軸受用保持器において、前記ころ落ち止め部を、前記柱部に係止される別体のころ落ち止め部材で形成した構成を採用した。
【０００９】
すなわち、ころ落ち止め部を柱部に係止される別体のころ落ち止め部材で形成することにより、ポケットにころを収納した後で、別体のころ落ち止め部材を柱部に係止して、ころを傷付けないようにするとともに、単純な形状とした保持器本体と別体のころ落ち止め部材を別々に精度よく加工可能として、ころの落ち込み量を精度よく規制できるようにした。
【００１０】
前記ころ落ち止め部材を柱部に係止する手段としては、前記ころ落ち止め部材に、前記柱部側へ半径方向に突出するピン状部を設け、このピン状部を、前記柱部に設けた半径方向のピン孔に嵌め込んで抜け止めするか、前記柱部に設けた半径方向のねじ孔に螺着する手段を採用することができる。
【００１１】
前記ピン状部を別体の前記ピン状部材とし、このピン状部材に前記ころ落ち止め部材の本体を係止することもできる。
【００１２】
前記ピン状部材にころ落ち止め部材の本体を係止する手段としては、前記ピン状部材を、前記柱部に設けたピン孔またはねじ孔に、前記ころ落ち止め部材の本体と反対側から貫通するように挿入し、このピン孔またはねじ孔に本体と反対側から貫通させたピン状部材の先端部を、前記ころ落ち止め部材の本体に設けた半径方向のピン孔に嵌め込んで抜け止めするか、前記ころ落ち止め部材の本体に設けた半径方向のねじ孔に螺着する手段を採用することができる。
【発明の効果】
【００１３】
本発明のころ軸受用保持器は、ころ落ち止め部を柱部に係止される別体のころ落ち止め部材で形成したので、ポケットにころを収納した後で、別体のころ落ち止め部材を柱部に係止して、ころを傷付けないようにすることができるとともに、単純な形状とした保持器本体と別体のころ落ち止め部材を別々に精度よく加工可能として、ころの落ち込み量を精度よく規制することができる。
【発明を実施するための最良の形態】
【００１４】
以下、図面に基づき、本発明の実施形態を説明する。図１乃至図３は、第１の実施形態を示す。図１および図２は、第１の実施形態のころ軸受用保持器１ところ２を組み付けたころ軸受の外輪３を、先にハウジング２１に組み込んだ状態を示す。この保持器１は、各ころ２を、その軸方向両側で環状に連なる２つの環状部１ａと、これらの環状部１ａを各ころ２間で連結する複数の柱部１ｂとで形成されたポケット５に収納するものであり、後から各ころ２の内径側に内輪（図示省略）をスムーズに組み込めるように、各柱部１ｂからポケット５の半径方向内側へ張り出す別体のころ落ち止め部材６によって、ポケット５に収納された各ころ２の半径方向への抜け落ちを防止するとともに、その落ち込み量δを規制するようになっている。ころ落ち止め部材６は、ころ２がポケット５に収納された後で、後述するように、柱部１ｂに係止される。なお、この保持器１は金属製のもみ抜き保持器とされ、別体のころ落ち止め部材６も金属で形成されている。
【００１５】
図３に示すように、前記ころ落ち止め部材６は、ポケット５の半径方向内側へ張り出す台形状の本体部６ａと、柱部１ｂ側へ半径方向に突出するピン状部６ｂとから成り、ピン状部６ｂか柱部１ｂに設けられた半径方向のピン孔７に内径側から嵌め込まれるようになっている。ピン状部６ｂの先端部には長円状の張り出し頭部８が設けられるとともに、割り込み９が入れられており、張り出し頭部８が割り込み９で円形に縮径するように弾性変形してピン孔７を通り抜け、図１に示したように、柱部１ｂの外径側に設けられた凹段差部１０ａに係止されて、ピン状部６ｂが抜け止めされる。また、台形状の本体部６ａは柱部１ｂの内径側に設けられた凹段差部１０ｂに嵌まり込み、ころ落ち止め部材６が回り止めされる。
【００１６】
この実施形態では、柱部のピン孔に貫通するように嵌め込んだピン状部の先端部を、張り出し頭部で柱部の凹段差部に係止して抜け止めすることにより、別体のころ落ち止め部材を柱部に係止したが、柱部のピン孔をねじ孔として、ピン状部をこのねじ孔に螺着することにより、別体のころ落ち止め部材を柱部に係止することもできる。
【００１７】
図４は、前記ころ落ち止め部材６の変形例を示す。この変形例は、前記本体部６ａが円錐台形状とされており、回り止めが不要とされている。
【００１８】
図５乃至図７は、第２の実施形態を示す。図５および図６は、第２の実施形態のころ軸受用保持器１ところ２を組み付けたころ軸受の内輪４を、先に軸部材２２に組み込んだ状態を示す。この保持器１も、各ころ２を２つの環状部１ａと複数の柱部１ｂで形成されたポケット５に収納するものであり、後から各ころ２の外径側に外輪（図示省略）をスムーズに組み込めるように、各柱部１ｂからポケット５の半径方向外側へ張り出す別体のころ落ち止め部材１１によって、ポケット５に収納された各ころ２の半径方向への抜け落ちを防止するとともに、その落ち込み量δを規制するようになっている。なお、この保持器１も金属製のもみ抜き保持器とされ、別体のころ落ち止め部材１１も金属で形成されている。
【００１９】
図７に示すように、前記ころ落ち止め部材１１は、ポケット５の半径方向内側へ張り出す台形状の本体部材１１ａと、別体のピン状部材１１ｂとから成り、ピン状部材１１ｂは、ころ２をポケット５に収納する前に、柱部１ｂに設けられた半径方向のピン孔７に内径側から嵌め込まれ、その張り出し頭部１２が柱部１ｂの内径側に設けられた凹段差部１０ｂに係止される。このピン状部材１１ｂは先端側に小径部１３が設けられており、ピン孔７の外径側へ貫通した小径部１３が、本体部材１１ａに設けられた小径ピン孔１４に嵌め込まれるようになっている。小径部１３の先端部には、長円状の張り出し頭部１３ａが設けられるとともに、割り込み１３ｂが入れられ、張り出し頭部１３ａが割り込み１３ｂで円形に縮径するように弾性変形して小径ピン孔１４を通り抜け、図５に示したように、本体部材１１ａの外径側に設けられた凹段差部１５に係止されて、小径部１３が抜け止めされる。また、台形状の本体部材１１ａは、柱部１ｂの外径側に設けられた凹段差部１０ａに嵌まり込んで回り止めされる。
【００２０】
この実施形態では、柱部ところ落ち止め部材の本体部材のピン孔に貫通するように嵌め込んだ別体のピン状部材の先端部を、張り出し頭部でころ落ち止め部材の本体部材の凹段差部に係止して抜け止めすることにより、本体部材とピン状部材を別体としたころ落ち止め部材を柱部に係止したが、落ち止め部材の本体部材のピン孔をねじ孔として、ピン状部材の先端部をこのねじ孔に螺着することにより、別体のころ落ち止め部材を柱部に係止することもできる。
【００２１】
図８は、前記ころ落ち止め部材１１の変形例を示す。この変形例は、前記本体部材１１ａが円錐台形状とされており、回り止めが不要とされている。
【００２２】
上述した各実施形態では、保持器も別体のころ落ち止め部材も金属で形成したが、いずれか一方または両方を樹脂で形成することもできる。
【図面の簡単な説明】
【００２３】
【図１】第１の実施形態の保持器ところを組み付けたころ軸受の外輪をハウジングに組み込んだ状態を示す一部省略縦断面図
【図２】図１のII−II線に沿った断面図
【図３】図１の保持器の柱部にころ落ち止め部材を係止する方法を説明する斜視図
【図４】図３のころ落ち止め部材の変形例を示す斜視図
【図５】第２の実施形態の保持器ところを組み付けたころ軸受の内輪を回転軸に組み込んだ状態を示す一部省略縦断面図
【図６】図５のVI−VI線に沿った断面図
【図７】図５の保持器の柱部にころ落ち止め部材を係止する方法を説明する斜視図
【図８】図７のころ落ち止め部材の変形例を示す斜視図
【符号の説明】
【００２４】
１  保持器
１ａ  環状部
１ｂ  柱部
２  ころ
３  外輪
４  内輪
５  ポケット
６  ころ落ち止め部材
６ａ  本体部
６ｂ  ピン状部
７  ピン孔
８  張り出し頭部
９  割り込み
１０ａ、１０ｂ  凹段差部
１１  ころ落ち止め部材
１１ａ  本体部材
１１ｂ  ピン状部材
１２  張り出し頭部
１３  小径部
１３ａ  張り出し頭部
１３ｂ  割り込み
１４  小径ピン孔
１５  凹段差部
【図１】
2008151171.tif 000003
【図２】
2008151171.tif 000004
【図３】
2008151171.tif 000005
【図４】
2008151171.tif 000006
【図５】
2008151171.tif 000007
【図６】
2008151171.tif 000008
【図７】
2008151171.tif 000009
【図８】
2008151171.tif 000010